(57)【要約】【課題】    産業現場で着用する安全帽、オートバイ用ヘルメット、一般用帽子などを迅速で簡便に殺菌、脱臭、乾燥をできる、安全帽を含む帽子の殺菌／乾燥／脱臭装置を提供する。【解決手段】本発明は、上部中央部に上下に延長された円筒形状の設置孔部が設けられ、該設置孔部の内周縁に一定間隔をおいてエアーガイドリング部を設けて、前記設置孔部と前記エアーガイドリング部との間にエアー排出口が設けられるようにするとともに、前記エアーガイドリング部の内側上部に安全網が設けられ、前記エアーガイドリング部の内側上部に複数の締結孔を持つ設置突部が設けられ、前記設置孔部と近接した上部側に帽子、特に安全帽の後方の下に突出する安全バンドが安定して設置されるように安全帽着座溝部が設けられ、前記安全帽着座溝部の中央部に安全帽を安定して掛けるようにハンガーが設置され、前記設置孔部の下部両側には安全帽の前面部を安定して挿入固定するように固定ホルダーが設置され、開口した底面部に複数の締結ボスが設けられるケース本体と；前記本体の開口した底部に複数の締結ボスとねじで結合するケース底板と；前記ケース本体の設置孔部の底部で安全網と近接して結合固定される吸気ファンと；前記ケース本体の設置孔部の端部と連接し、中央部で上方にエアー分散隆起部が円錐状に設けられ、吸気ファンによって吸い込まれた外部エアーが相互衝突することく吸気された後、内周縁に沿って上昇して、前記設置孔部と前記エアーガイドリング部との間のエアー排出口から排気されるように設置されるエアー誘導部と；円筒形状を有し、上部に設置網が設けられ、該設置網の底部に円板状のフィルター部材が設置されると同時に、該フィルター部材の底部にフィルター部材を底部から安定して固定するように網状の固定枠台が結合し、前記固定枠台の中央部でその下方に複数の吸気孔を持つ脱臭ボール収容函が設けられ、該脱臭ボール収容函の開口した上部から、フィルター部材を一次通過したエアー中の悪臭を脱臭する脱臭ボールがぎっしりと詰められるとともに、脱臭ボール収容函の開口した上部はフィルター部材によって閉鎖され、前記固定枠台の底面部には、ケース本体上部の設置突部の締結孔と対応する締結部が設けられるフィルターケースと；前記エアー誘導部の一側に設置され、流入したエアー中の臭い及び各種細菌を死滅させるイオン発生部と；前記ケース本体の内部に設置された前記吸気ファン及び前記イオン発生部の動作を一定時間制御するように複数の操作ボタンを具備したコントロール部材と；を含んでなることを特徴とする。【選択図】  図１
2020536704.tif 000002
【特許請求の範囲】
【請求項１】
上部中央部に上下に延長された円筒形状の設置孔部が設けられ、該設置孔部の内周縁に一定間隔をおいてエアーガイドリング部を設けて、前記設置孔部と前記エアーガイドリング部との間にエアー排出口が設けられるようにするとともに、前記エアーガイドリング部の内側上部に安全網が設けられ、前記エアーガイドリング部の内側上部に複数の締結孔を持つ設置突部が設けられ、前記設置孔部と近接した上部側に帽子、特に安全帽の後方の下に突出する安全バンドが安定して設置されるように安全帽着座溝部が設けられ、前記安全帽着座溝部の中央部に安全帽を安定して掛けるようにハンガーが設置され、前記設置孔部の下部両側には安全帽の前面部を安定して挿入固定するように固定ホルダーが設置され、開口した底面部に複数の締結ボスが設けられるケース本体と；
前記本体の開口した底部に複数の締結ボスとねじで結合するケース底板と；
前記ケース本体の設置孔部の底部で安全網と近接して結合固定される吸気ファンと；
前記ケース本体の設置孔部の端部と連接し、中央部で上方にエアー分散隆起部が円錐状に設けられ、吸気ファンによって吸い込まれた外部エアーが相互衝突することく吸気された後、内周縁に沿って上昇して、前記設置孔部と前記エアーガイドリング部との間のエアー排出口から排気されるように設置されるエアー誘導部と；
円筒形状を有し、上部に設置網が設けられ、該設置網の底部に円板状のフィルター部材が設置されると同時に、該フィルター部材の底部にフィルター部材を底部から安定して固定するように網状の固定枠台が結合し、前記固定枠台の中央部でその下方に複数の吸気孔を持つ脱臭ボール収容函が設けられ、該脱臭ボール収容函の開口した上部から、フィルター部材を一次通過したエアー中の悪臭を脱臭する脱臭ボールがぎっしりと詰められるとともに、脱臭ボール収容函の開口した上部はフィルター部材によって閉鎖され、前記固定枠台の底面部には、ケース本体上部の設置突部の締結孔と対応する締結部が設けられるフィルターケースと；
前記エアー誘導部の一側に設置され、流入したエアー中の臭い及び各種細菌を死滅させるイオン発生部と；
前記ケース本体の内部に設置された前記吸気ファン及び前記イオン発生部の動作を一定時間制御するように複数の操作ボタンを具備したコントロール部材と；を含んでなることを特徴とする、安全帽を含む帽子の殺菌／乾燥／脱臭装置。
【請求項２】
前記ケース本体の上部面に、安全帽の装着時にコントロール部材を一定時間動作させるように感知センサー手段を設置したことを特徴とする、請求項１に記載の安全帽を含む帽子の殺菌／乾燥／脱臭装置。
【請求項３】
相互隣接した２つのケース本体のケース底板の両側部に側方に一定深さ開口した結合溝をそれぞれ対応するように設けた後、相互隣接する結合溝に１つの結合ホルダーを嵌めて前記２つのケース本体を安定して固定したことを特徴とする、請求項１に記載の安全帽を含む帽子の殺菌／乾燥／脱臭装置。
【請求項４】
各ケース本体のケース底板の両側に電源を印加するための雌端子部をそれぞれ設けた後、一側のケース底板の雌端子部には外部電源を連結し、該外部電源に連結されたケース底板と隣接する他のケース底板は、両側端部に雄端子部が設けられたジャンプ印加線を用いて電源を供給するようにしたことを特徴とする、請求項１に記載の安全帽を含む帽子の殺菌／乾燥／脱臭装置。
【発明の詳細な説明】
【技術分野】
【０００１】
本発明は、産業現場で着用する安全帽、オートバイ用ヘルメット、一般用帽子などを迅速で簡便に殺菌、脱臭、乾燥ができる、安全帽を含む帽子の殺菌／乾燥／脱臭装置に関する。
【背景技術】
【０００２】
周知のように、オートバイを運転する時に着用するヘルメット、産業現場で作業者の頭部を保護するために着用する安全帽、そしておしゃれ用の様々な帽子が用いられている。
【０００３】
特に、産業現場は落下物のような各種危険要素に露出されているが、このような危険要素から作業者の頭部を安全に保護するための基本的な手段として安全帽を着用する。
【０００４】
かかる安全帽は、外部衝撃を一次に吸収する堅固な外皮、及びその内部に装着されて作業者の頭を包む支持台からなるが、風通しがよくない構造のため、汗が乾かなくて安全帽の内部が濡れやすい他、汚れ及び酷い悪臭もし、当該帽子を再び着用するとき、非常に不快な感じがする。
【０００５】
このため、かかる安全帽を周期的に洗浄する必要があるが、適当な洗浄手段がなく、そのまま水道水で簡易洗浄をしている実情である。
【０００６】
そこで、最近では、前記安全帽を容易に洗浄するための洗浄器（大韓民国公開特許番号１０−２０１４−０１０６２２８号）が開示されたことがあり、その構成を図１及び図２に基づいて説明すると、安全帽を収容する空間が設けられたケース１１０；該ケース１１０に開閉可能に結合するカバー部１２０；前記ケース１１０内の底に設置され、モーター１３５によって回転する回転翼１３０；前記ケース１１０の内部に設置され、前記ケース１１０内に洗浄水を供給する洗浄水注入口１４０；及び、前記ケース１１０の底に設置され、洗浄水を外部に排出する洗浄水排出口１５０；を備えている。
【０００７】
すなわち、上記のように構成された安全帽洗浄器は、産業現場で迅速簡便に安全帽を洗浄することができる。さらにいうと、モーター１３５で作動する回転翼１３０を用いて洗浄水をまんべんなく掻き回して安全帽を迅速簡便に洗浄することができる。
【０００８】
また、前記安全帽の洗浄と共に安全帽を速かに乾燥させて直ちに着用可能することもできる。すなわち、回転翼１３０によって発生する気流を用いて洗浄済み安全帽を乾燥させるが、換気口１９５を開放して円滑な気流の流れを誘導し、熱発生部１９０の熱を利用する場合、熱風の流れが発生して乾燥時間をより短縮させることができる。
【０００９】
最後に、洗浄及び乾燥が自動で制御され、より便利な使用が可能である。さらにいうと、自動制御部１８０がモーター１３５、注入口バルブ１４５、排出口バルブ１５５、換気口１９５、及び熱発生部１９０の作動を自動で制御するので、使用者が単純に自動制御部１８０の動作ボタンやタッチスクリーンをタッチする動作だけで洗浄及び乾燥過程が自動で行われる。
【００１０】
しかしながら、上記のように構成された従来の安全帽洗浄器は水を用いて洗浄をするため、水の汚染による環境汚染が深刻化することはもとより、大量の水の消費を招いた。
【００１１】
また、従来は、前記乾燥器が大きいため、ヘルメットや一般帽子を個人使用する場合にはあまり問題にならないが、産業現場のように多数の作業者が多量の安全帽を同時に洗浄するには、洗浄対象の安全帽に相当する分の高価の洗浄器を具備しなければならず、非常に高い費用がかかるだけでなく、前記洗浄器の体積がかなり大きいため、その置き場所を産業現場に別途具備しなければならないという諸問題があった。
【先行技術文献】
【特許文献】
【００１２】
【特許文献１】大韓民国特許公開第１０−２０１４−０１０６２２８号公報
【発明の概要】
【発明が解決しようとする課題】
【００１３】
したがって、本発明は、上記のような問題点に鑑みてなされたもので、帽子の内部を、常温のエアーと加熱したエアーを一定時間噴射して乾燥させると同時に、帽子の内部に排出された汚れたエアーをフィルターから再吸入した後、清浄なエアーを帽子内部に再び噴射して汗の悪臭及び細菌を殺菌処理することによって、帽子の洗浄に水を使用せず、汚染した帽子を洗浄した水による汚染及び水の浪費を防ぐとともに、帽子の外部に悪臭が広まることを防止してその周辺環境を快適に維持するだけでなく、その大きさを最小化するとともに作業場の壁面に設置できるようにし、汚れた帽子を洗浄するための別の設置空間を設ける必要がない、安全帽を含む帽子の殺菌／乾燥／脱臭装置を提供することにその目的がある。
【００１４】
また、本発明は、複数の殺菌／乾燥／脱臭装置を相互連結可能に構成してその設置を非常に簡便にすると同時に、それら相互間に電源が通電するようにしてごちゃごちゃに電線が置かれることを防止した、安全帽を含む帽子の殺菌／乾燥／脱臭装置を提供することにその目的がある。
【課題を解決するための手段】
【００１５】
上記のような目的を達成するための本発明は、上部中央部に上下に延長された円筒形状の設置孔部が設けられ、該設置孔部の内周縁に一定間隔をおいてエアーガイドリング部を設けて、前記設置孔部と前記エアーガイドリング部との間にエアー排出口が設けられるようにするとともに、前記エアーガイドリング部の内側上部に安全網が設けられ、前記エアーガイドリング部の内側上部に複数の締結孔を持つ設置突部が設けられ、前記設置孔部と近接した上部側に帽子、特に安全帽の後方の下に突出する安全バンドが安定して設置されるように安全帽着座溝部が設けられ、前記安全帽着座溝部の中央部に安全帽を安定して掛けるようにハンガーが設置され、前記設置孔部の下部両側には安全帽の前面部を安定して挿入固定するように固定ホルダーが設置され、開口した底面部に複数の締結ボスが設けられるケース本体と；前記本体の開口した底部に複数の締結ボスとねじで結合するケース底板と；前記ケース本体の設置孔部の底部で安全網と近接して結合固定される吸気ファンと；前記ケース本体の設置孔部の端部と連接し、中央部で上方にエアー分散隆起部が円錐状に設けられ、吸気ファンによって吸い込まれた外部エアーが相互衝突することく吸気された後、内周縁に沿って上昇して、前記設置孔部と前記エアーガイドリング部との間のエアー排出口から排気されるように設置されるエアー誘導部と；円筒形状を有し、上部に設置網が設けられ、該設置網の底部に円板状のフィルター部材が設置されると同時に、該フィルター部材の底部にフィルター部材を底部から安定して固定するように網状の固定枠台が結合し、前記固定枠台の中央部でその下方に複数の吸気孔を持つ脱臭ボール収容函が設けられ、該脱臭ボール収容函の開口した上部から、フィルター部材を一次通過したエアー中の悪臭を脱臭する脱臭ボールがぎっしりと詰められるとともに、脱臭ボール収容函の開口した上部はフィルター部材によって閉鎖され、前記固定枠台の底面部には、ケース本体上部の設置突部の締結孔と対応する締結部が設けられるフィルターケースと；前記エアー誘導部の一側に設置され、流入したエアー中の臭い及び各種細菌を死滅させるイオン発生部と；前記ケース本体の内部に設置された前記吸気ファン及び前記イオン発生部の動作を一定時間制御するように複数の操作ボタンを具備したコントロール部材と；を含んでなることを特徴とする。
【００１６】
また、本発明は、前記ケース本体の上部面に、安全帽の装着時にコントロール部材を一定時間動作させるように感知センサー手段を設置したことを特徴とする。
【００１７】
また、本発明は、相互隣接した２つのケース本体のケース底板の両側部に側方に一定深さ開口した結合溝をそれぞれ対応するように設けた後、相互隣接する結合溝に１つの結合ホルダーを嵌めて前記２つのケース本体を安定して固定したことを特徴とする。
【００１８】
また、本発明は、各ケース本体のケース底板の両側に電源を印加するための雌端子部をそれぞれ設けた後、一側のケース底板の雌端子部には外部電源を連結し、該外部電源に連結されたケース底板と隣接する他のケース底板は、両側端部に雄端子部が設けられたジャンプ印加線を用いて電源を供給するようにしたことを特徴とする。
【発明の効果】
【００１９】
上記のように構成された本発明の殺菌／乾燥／脱臭装置は、ケース本体の上部に安全帽を安定して固定した後、吸気ファンを用いてケース本体の中央部に安全帽内部のエアーを吸入すると同時に、このように吸い込まれた汚染したエアーを、フィルター部材、脱臭ボール、及びイオン発生部を用いてろ過した後、ケース本体の設置孔部とエアーガイドリング部との間に設けられたエアー排出口から安全帽の内周縁に排出することによって安全帽の殺菌、乾燥、脱臭を行うので、従来のように水で洗浄する必要がない、非常に有用な効果がある。
【００２０】
また、本発明は、安全帽が設置されるケース本体の上部で吸気と排気が同時に行われるようにし、特に、安全帽の縁からその内側に清浄なエアーが排気されると同時に、安全帽の中央部分からケース本体の内部に吸気されるようにし、安全帽で発生した悪臭が室内を汚染させることを防止した、非常に有用な効果がある。
【００２１】
また、本発明は、多数の作業者がいる場合は、多数のケース本体を、相互面接触した結合溝に結合ホルダーをそれぞれ挿入固定することによって簡便に結合固定させるとともに、複数のケース本体のうち、一つの最外側にあるケース本体に外部電源を印加し、この外部電源が印加されたケース本体と近接設置された複数のその他のケース本体はジャンプ印加線を用いて電源を印加することによって、多数設置される殺菌／乾燥／脱臭装置の設置を容易にした、非常に有用な効果がある。
【図面の簡単な説明】
【００２２】
【図１】従来技術による安全帽洗浄器の側断面図である。
【図２】図１の使用状態を示す側断面図である。
【図３】本発明に係る殺菌／乾燥／脱臭装置の分解斜視図である。
【図４】本発明に係る殺菌／乾燥／脱臭装置の底部から見た分解斜視図である。
【図５】本発明に係る殺菌／乾燥／脱臭装置の要部を抜粋して示す分解斜視図である。
【図６】本発明に係る殺菌／乾燥／脱臭装置の斜視図である。
【図７】本発明に係る殺菌／乾燥／脱臭装置の使用状態を示す斜視図である。
【図８】本発明に係る殺菌／乾燥／脱臭装置の結合状態を示す斜視図である。
【図９】本発明に係る殺菌／乾燥／脱臭装置の結合状態を示す底面斜視図である。
【図１０】本発明に係る殺菌／乾燥／脱臭装置の側断面図である。
【図１１】本発明に係る殺菌／乾燥／脱臭装置の使用状態を示す側断面図である。
【発明を実施するための形態】
【００２３】
以下、本発明の好ましい実施例を添付の図面に基づいて詳細に説明する。
【００２４】
図３は、本発明に係る殺菌／乾燥／脱臭装置の分解斜視図であり、図４は、本発明に係る殺菌／乾燥／脱臭装置を底面から見た分解斜視図であり、図５は、本発明に係る殺菌／乾燥／脱臭装置の要部を抜粋して示す分解斜視図であり、図６は、本発明に係る殺菌／乾燥／脱臭装置の斜視図であり、図１０は、本発明に係る殺菌／乾燥／脱臭装置の側断面図であり、図１１は、本発明に係る殺菌／乾燥／脱臭装置の使用状態を示す側断面図である。
【００２５】
殺菌／乾燥／脱臭装置のケース本体２１０は長方形状であり、図３及び図４において右側部分が多少低く、左側部分が多少高い構造になっている。すなわち、殺菌／乾燥／脱臭装置は、作業場の壁に掛けられるものであり、下方に該当するケース本体２１０の右側部分が他側よりも若干低く形成され、安全帽の設置を容易にしている。
【００２６】
そして、前記ケース本体２１０は、図３に示すように、その上部中央部に上下に延長された円筒形状の設置孔部２１１を所定高さで形成し、該設置孔部２１１の内周縁に一定間隔をおいてエアーガイドリング部２２２を形成して、設置孔部２１１とエアーガイドリング部２２２との間にエアー排出口２２１が設けられるようにする。このとき、前記エアー排出口２２１は、図１０及び図１１に示すように、ケース本体２１０の内部に連通し、前記設置孔部２１１及びエアーガイドリング部２２２の上端部が中央部に傾斜するようにし、エアー排出口２２１から排出されたエアーが安全帽の中央に集中された後、吸気ファン２６０によってケース本体２１０の内部に吸い込まれるようにすることによって、エアー排出口２２１から排出されたエアーが安全帽の外部に漏れることを最小化し、室内を汚染させることを防止している。
【００２７】
なお、前記エアーガイドリング部２２２の開口した内側上部には安全網２３０が設けられるとともに、前記エアーガイドリング部２２２の内側上部に、複数の締結孔２２０を持つ設置突部２１９が設けられており、前記締結孔２２０は、図３に示すように、一側が相対的に広く穿孔され、これから一側に延長される部分の締結孔２２０は多少狭く穿孔される。
【００２８】
また、前記設置孔部２１１と近接した上部側に、帽子、特に安全帽の後方の下に突出する安全バンドが図１１のように安定して設置されるように、安全帽着座溝部２１２が設けられ、前記安全帽着座溝部２１２の中央部に安全帽を安定して掛けるためのハンガー２１４が設けられるが、前記安全帽着座溝部２１２の中央部に上方に開口したはめ込み孔（図示せず）が設けられ、ここにハンガー２１４が挿入固定される。
【００２９】
そして、前記設置孔部２１１の下部両側には、つばをなしている安全帽の前面部を安定して挿入固定できる固定ホルダー２１７が設置されるが、まず、前記設置孔部２１１の下部両側に所定深さの曲率を持つはめ込み溝２１５が設けられ、該はめ込み溝２１５にねじ部が形成され、固定ホルダー２１７の下方に延長されたねじ部２１８がねじ結合される。このとき、図７及び図８に示すように、前記ケース本体２１０の両側に設置される固定ホルダー２１７の内側面に安全帽のつばの側部を安定して挿入固定可能にすることが重要であり、作業者は汚れた安全帽を選択的に、ケース本体２１０のハンガー２１４に掛けるか、或いは固定ホルダー２１７に掛けることができる。
【００３０】
最後に、前記ケース本体２１０の底部には一定間隔をおいて複数の締結ボス２１１ａ，２１１ｂ，２１１ｃが形成される。
【００３１】
前記ケース本体２１０の開口した底部にはケース底板２４０が設置され、該ケース底板２４０には、図４及び図９に示すように、ケース本体２１０の締結ボス２１１ａ，２１１ｂ，２１１ｃと対応する複数の締結ボス２４１が形成され、ねじで強固に締結される。
【００３２】
また、前記ケース底板２４０には、図９に示すように、相互隣接した２つのケース本体２１０のケース底板２４０の両側部に側方に一定深さ開口した結合溝２４２をそれぞれ対応するように形成した後、相互隣接する結合溝２４２にＨ状の１つの結合ホルダー２４４を嵌め込み、該結合ホルダー２４４をねじで結合する方式で複数のケース本体２１０を連結する。
【００３３】
なお、各ケース本体２１０のケース底板２４０の両側に、電源を印加できる雌端子部２４３がそれぞれ設けられる。一つの最外側に位置するケース底板２４０の雌端子部２４３には、外部電源７００に連結された雄端子部７１０を連結し、前記外部電源７００と連結されたケース底板２４０に続く他のケース底板には、両側端部に雄端子部７２１が設けられたジャンプ印加線７２０を介して電源を供給する。
【００３４】
一方、前記ケース本体２１０の中央底部に設置された安全網２３０と近接して吸気ファン２６０が設置され、該吸気ファン２６０はケース本体２１０の締結ボス２１１ｂによってねじ締結される。
【００３５】
そして、前記ケース本体２１０の中央底部に所定突出した設置孔部２１１と対応するようにエアー誘導部２７０が設置される。該エアー誘導部２７０はその中央部から上方にエアー分散隆起部２７２が円錐状に設けられ、吸気ファン２６０によって吸い込まれた外部のエアーが相互衝突することなく均一に分散されると同時にエアー誘導部２７０の内周縁に沿って上昇して設置孔部２１１とエアーガイドリング部２２２との間のエアー排出口２２１から排気されるようにする。
【００３６】
前記ケース本体２１０の安全網２３０の上部に着脱可能に設置されるフィルターケース２５０は、図５に示すように、その上部に設置網２５１が設けられ、該設置網２５１の底部に円板状のフィルター部材５００が設置されると同時に、該フィルター部材５００の底部にフィルター部材５００を底部において安定して固定可能に網状の固定枠台２５３が結合される。該固定枠台２５３の中央部からその下方に複数の吸気孔２５３ｂを持つ脱臭ボール収容函２５３ａが設けられ、該脱臭ボール収容函２５３ａの開口した上部から、フィルター部材５００を一次通過したエアー中の悪臭を脱臭できる脱臭ボール６００がぎっしりと詰められるとともに、前記脱臭ボール収容函２５３ａの開口した上部はフィルター部材５００によって閉鎖される。
【００３７】
また、前記固定枠台２５３は、その縁に固定突起２５５が設けられ、フィルターケース２５０の内周縁の固定溝２５８と結合するので、外部の衝撃にも分離されない。
【００３８】
一方、前記固定枠台２５３の底面部には、エアーガイドリング部２２２の内側上部に設けられた締結孔２２０と対応するＬ字状の締結部２５２が設けられ、該締結部２５２において折れた端部の一側面部が他側面部よりも多少薄いので、締結部２５２を締結孔２２０に挿入した状態でフィルターケース２５０を一側方向に回転させることが非常に容易となり、前記締結部２５２において折れた端部面が設置突部２１９の底面と密着することによりフィルターケース２５０が安定に固定され得る。
【００３９】
前記フィルターケース２５０の内部において、エアー誘導部２７０の一側には、図４に示すように、流入したエアー中の臭い及び各種細菌を死滅させるためのイオン発生部４００が設置される。
【００４０】
そして、前記ケース本体２５０の内部には吸気ファン２６０及びイオン発生部４００の動作を一定時間制御できるように複数の操作ボタンを備えたコントロール部材３００が設置され、該コントロール部材３００の操作ボタンは、ケース本体２５０の上部に露出されている。
【００４１】
また、前記ケース本体２５０の内部には、近距離赤外線であり得る感知センサー手段８００が設置され、該感知センサー手段８００は、図３に示すように、ケース本体２５０上部のセンサー孔２２５を通って上方に露出され、安全帽の装着時にコントロール部材３００を一定時間動作可能にさせる。このとき、前記感知センサー手段８００は他の位置、例えば安全帽ハンガー２４０に設置しても構わなく、前記設置部２４０に安全帽の重さによって作動するスイッチ手段を設置しても構わない。
【００４２】
上記のように構成された本発明の殺菌／乾燥／脱臭装置の作用及び効果を詳細に説明すると、次の通りである。
【００４３】
まず、図３〜図５に示すように、前記フィルターケース２５０の設置網２５１の底部に円板状のフィルター部材５００が設置されると同時に、該フィルター部材５００の底部にフィルター部材５００を底部から安定して固定するように網状の固定枠台２５３が結合し、該固定枠台２５３の中央部においてその下方に設けられた脱臭ボール収容函２５３ａに、その開口した上部から、フィルター部材５００を一次通過したエアー中の悪臭を脱臭できる脱臭ボール６００をぎっしりと詰めた後、前記脱臭ボール収容函２５３ａの開口した上部をフィルター部材５００にて閉鎖する。
【００４４】
前記フィルターケース２５０と固定枠台２５３が結合すると、前記フィルターケース２５０をケース本体２１０に結合させる。すなわち、前記固定枠台２５３の底面部におけるＬ字状の締結部２５２を、エアーガイドリング部２２２の内側上部に設けられた締結孔２２０に嵌めた後、フィルターケース２５０を一側方向に回転させる。
【００４５】
このとき、前記フィルターケース２５０が一側方向に回転すると、締結部２５２の折れた端部面が設置突部２１９の底面と密着することによってフィルターケース２５０が安定して固定され得る。
【００４６】
前記フィルターケース２５０とケース本体２１０が結合すると、該ケース本体２１０の中央底部に吸気ファン２６０が設置された後、前記ケース本体２１０の中央底部から所定突出した設置孔部２１１と対応してエアー誘導部２７０が設置され、最後に、前記ケース本体２１０の底部にケース底板２４０がねじ結合で設置される。
【００４７】
そして、複数のケース本体２１０を連接して設置する場合には、図８及び図９に示すように、ケース底板２４０両側部に設けられた結合溝２４２をそれぞれ連結対応させた後、連接した結合溝２４２にＨ状の１つの結合ホルダー２４４を嵌めた後、該結合ホルダー２４４をねじで結合する方式で複数のケース本体２１０を連結する。
【００４８】
その後、相互連接するケース底板２４０のうち、一つの最外側に位置したケース底板２４０の両側に設けられた雌端子部２４３に、外部電源７００と連結された雄端子部７１０を連結し、続いて位置する各ケース底板２４０の雌端子部２４３には、ジャンプ印加線７２０の雄端子部７２１を直列に連結して、連結設置された全てのケース底板２４０に電源を印加する。
【００４９】
一方、上記のように設置された殺菌／乾燥／脱臭装置を用いて、汚れた安全帽を洗浄する場合には、図６〜図８に示すように、汚染除去する安全帽を前記ケース本体２５０のハンガー２４０に掛けたり、或いはケース本体２５０の固定ホルダー２１７に安全帽のつばを挟め、この時、前記固定ホルダー２１７の内側面の曲面に沿って安全帽のつばが面接密着するので、安全帽の脱去を防止することができる。
【００５０】
上述したように、ケース本体２５０に安全帽が設置されると、これを、前記ケース本体２５０に設置された感知センサー手段８００が感知してコントロール部材３００を動作させる。この時、ケース本体２５０内のイオン発生部４００が動作して殺菌及び脱臭の準備をすると同時に、吸気ファン２６０が動作して、ケース本体２１０の内部へ安全帽内の汚染した物質が吸気されるようにする。
【００５１】
すなわち、吸気ファン２６０が動作すると、図１０及び図１１に示すように、安全帽内の汚染した物質は、フィルター部材５００を通過しながら一次に微小ホコリと各種細菌を含む汚染物質が除去される。
【００５２】
前記フィルター部材５００を通過したエアーは、その底部に設置された固定枠台２５３の中央部の脱臭ボール収容函２５３ａに吸い込まれ、脱臭ボール収容函２５３ａ内に収容された脱臭ボール６００によって臭いが取れ、ろ過したエアーは、前記脱臭ボール収容函２５３ａに設けられた複数の吸気孔２５３ｂからケース本体２１０のエアー誘導部２７０内に吸い込まれる。
【００５３】
該エアー誘導部２７０に流入したエアーは、その中央部で上方に突設されたエアー分散隆起部２７２によって均一に分散されると同時に、曲面を持つエアー誘導部２７０の内周縁に沿って上昇して、設置孔部２１１とエアーガイドリング部２２２との間のエアー排出口２２１に排出された後、安全帽の内側面に噴射される。
【００５４】
すなわち、図１１の矢印で表すように、前記エアー排出口２２１から安全帽の内側面の縁部に、清浄に浄化されたエアーが放出されると、このエアーは安全帽の中心に集まりながら、安全帽に残存している汚染した物質を含むようになり、この時、汚染したエアーは、中央に位置した吸気ファン２６０の吸入力によって、前述と同様の過程でエアー誘導部２７０に吸い込まれることを一定時間反復することで、安全帽を清潔に乾燥させ、臭い及び細菌を防止する。
【符号の説明】
【００５５】
２１０      ケース本体            ２１１      設置孔部
２１２      安全帽着座溝部        ２１４      ハンガー
２１９      設置突部              ２２０      締結孔
２２１      エアー排出口          ２２２      エアーガイドリング部
２４０      ケース底板            ２４４      結合ホルダー
２４３      雌端子部              ２５３      固定枠台
２５３ａ    脱臭ボール収容函      ２５３ｂ    吸気孔
２６０      吸気ファン            ２７０      エアー誘導部
２７２      エアー分散隆起部      ３００      コントロール部材
４００      イオン発生部          ５００      フィルター部材
６００      脱臭ボール            ８００      感知センサー手段
【図１】
2020536704.tif 000003
【図２】
2020536704.tif 000004
【図３】
2020536704.tif 000005
【図４】
2020536704.tif 000006
【図５】
2020536704.tif 000007
【図６】
2020536704.tif 000008
【図７】
2020536704.tif 000009
【図８】
2020536704.tif 000010
【図９】
2020536704.tif 000011
【図１０】
2020536704.tif 000012
【図１１】
2020536704.tif 000013
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
上部中央部に上下に延長された円筒形状の設置孔部が設けられ、該設置孔部の内周縁に一定間隔をおいてエアーガイドリング部を設けて、前記設置孔部と前記エアーガイドリング部との間にエアー排出口が設けられるようにするとともに、前記エアーガイドリング部の内側上部に安全網が設けられ、前記エアーガイドリング部の内側上部に複数の締結孔を持つ設置突部が設けられ、前記設置孔部と近接した上部側に帽子、特に安全帽の後方の下に突出する安全バンドが安定して設置されるように安全帽着座溝部が設けられ、前記安全帽着座溝部の中央部に安全帽を安定して掛けるようにハンガーが設置され、前記設置孔部の下部両側には安全帽の前面部を安定して挿入固定するように固定ホルダーが設置され、開口した底面部に複数の締結ボスが設けられるケース本体と；
前記本体の開口した底部に複数の締結ボスとねじで結合するケース底板と；
前記ケース本体の設置孔部の底部で安全網と近接して結合固定される吸気ファンと；
前記ケース本体の設置孔部の端部と連接し、中央部で上方にエアー分散隆起部が円錐状に設けられ、吸気ファンによって吸い込まれた外部エアーが相互衝突することで吸気された後、内周縁に沿って上昇して、前記設置孔部と前記エアーガイドリング部との間のエアー排出口から排気されるように設置されるエアー誘導部と；
前記ケース本体の上部に、エアー排出口から排出された汚染空気が吸い込まれる設置網が設けられ、該設置網の内周縁には一定の間隔をおいて固定溝が設けられ、前記設置網の底部に汚染空気を吸入して浄化可能に円板状のフィルター部材が設置されると同時に、該フィルター部材の底部にフィルター部材を底部において安定して固定するように網状の固定枠台が結合し、該固定枠台の外周縁には設置網の固定溝と決着する固定突起が設けられ、前記固定枠台の中央部でその下方に複数の吸気孔を持つ脱臭ボール収容函が設けられ、該脱臭ボール収容函の開口した上部から、フィルター部材を一次通過したエアー中の悪臭を脱臭する脱臭ボールがぎっしりと詰められるとともに、脱臭ボール収容函の開口した上部はフィルター部材によって閉鎖され、前記固定枠台の底面部には、ケース本体上部の設置突部の締結孔と対応する締結部が設けられるフィルターケースと；
前記エアー誘導部の一側に設置され、流入したエアー中の臭い及び各種細菌を死滅させるイオン発生部と；
前記ケース本体の内部に設置された前記吸気ファン及び前記イオン発生部の動作を一定時間制御するように複数の操作ボタンを具備したコントロール部材と；を含んでなることを特徴とする、安全帽を含む帽子の殺菌／乾燥／脱臭装置。
【請求項２】
前記ケース本体の上部面に、安全帽の装着時にコントロール部材を一定時間動作させるように感知センサー手段を設置したことを特徴とする、請求項１に記載の安全帽を含む帽子の殺菌／乾燥／脱臭装置。
【請求項３】
相互隣接した２つのケース本体のケース底板の両側部に側方に一定深さ開口した結合溝をそれぞれ対応するように設けた後、相互隣接する結合溝に１つの結合ホルダーを嵌めて前記２つのケース本体を安定して固定したことを特徴とする、請求項１に記載の安全帽を含む帽子の殺菌／乾燥／脱臭装置。
【請求項４】
各ケース本体のケース底板の両側に電源を印加するための雌端子部をそれぞれ設けた後、一側のケース底板の雌端子部には外部電源を連結し、該外部電源に連結されたケース底板と隣接する他のケース底板は、両側端部に雄端子部が設けられたジャンプ印加線を用いて電源を供給するようにしたことを特徴とする、請求項１に記載の安全帽を含む帽子の殺菌／乾燥／脱臭装置。
【国際調査報告】
2020536704.tif 000014
2020536704.tif 000015
2020536704.tif 000016
2020536704.tif 000017